(57)【特許請求の範囲】
【請求項１】
履き物の部材の底部材の表面に本質的に対応しており、あるいは局所化された支持要素及び／又は衝撃吸収要素が取り付けられた表面（３）を備えるタイプの足の全体形状に合わせて湾曲し又は足の特定形状に合わせた履き物用の底部材において、
閉じたループ（５，１６，２２）の形態の強化部材（４，２０）を備え、前記ループは、かかとが載る領域を取り囲み、かつ２つの端縁に沿って少なくとも第１中足骨頭と第５中足骨頭の領域まで延在する２つの枝状部（６，７，１７，１８，２３，２４）の形態で前方に延在しており、
前記強化部材は、ループ（１６）を形成するように曲げられた細長単一部材から成り、前記強化部材の両端部は、かかとの前方に位置する領域で交差（１９）した後、長手方向枝状部（１７，１８）を形成することを特徴とする底部材。
【請求項２】
交差領域（１９）において、前記２つの枝状部が互いに固定されることを特徴とする請求項１記載の底部材。
【請求項３】
履き物の部材の底部材の表面に本質的に対応しており、あるいは局所化された支持要素及び／又は衝撃吸収要素が取り付けられた表面（３）を備えるタイプの足の全体形状に合わせて湾曲し又は足の特定形状に合わせた履き物用の底部材において、
閉じたループ（５，１６，２２）の形態の強化部材（４，２０）を備え、前記ループは、かかとが載る領域を取り囲み、かつ２つの端縁に沿って少なくとも第１中足骨頭と第５中足骨頭の領域まで延在する２つの枝状部（６，７，１７，１８，２３，２４）の形態で前方に延在しており、
前記強化部材は２つの部材（２０，２４）から成り、前記２つの部材のうちの一方（２０）がかかとを取り囲むループ（２２）と前記底部材の内側に位置した枝状部（２３）とを形成し、前記２つの部材のうちの他方（２４）が、前記底部材の内側の第１部分と前記強化部材により形成された前記ループの前方の領域とに取り付けられ、かつ前記底部材の軸線に対して本質的に横断方向に延在して、前記底部材の外側端縁と当接しかつ第２長手方向枝状部を形成することを特徴とする底部材。
【請求項４】
前記強化部材の２つの構成部材（２０，２４）がそれぞれ異なる材料から成ることを特徴とする請求項３記載の底部材。
【請求項５】
前記底部材の内側に位置する前記枝状部（７，２３）が、第１中足骨頭を越えて前方に延在することを特徴とする請求項１〜４のいずれか一項に記載の底部材。
【請求項６】
かかとが載る領域の前方に位置した前記強化部材の中央領域（９，１９）は、その前後に形成された領域と比較して隆起していることを特徴とする請求項１〜５のいずれか一項に記載の底部材。
【請求項７】
かかとが載る領域の前方に位置した中央領域において、前記強化部材が２つの横断方向凹所（１０）を有し、該凹所の先端部は前記底部材の各横断方向端縁から後退していることを特徴とする請求項１〜６のいずれか一項に記載の底部材。
【請求項８】
前記底部材の主要部材（３）は、かかとが載る前記領域（１２）及び／又は前記強化部材の２つの枝状部間に位置する領域（１３）において、下方対面くぼみ部に対応する上方対面隆起部を備えることを特徴とする請求項１〜７のいずれか一項に記載の底部材。
【請求項９】
前記強化部材は、剛性材料から成るか、又はポリマー，ポリカーボネート，又は炭素繊維強化樹脂又はガラス繊維強化樹脂のうちから選択された複合材料から成ることを特徴とする請求項１〜８のいずれか一項に記載の底部材。
【請求項１０】
前記強化部材の各枝状部（１７，１８）の各端部が、ブリッジ（２５）により接続されていることを特徴とする請求項１〜９のいずれか一項に記載の底部材。
【請求項１１】
前記強化部材の枝状部（１７，１８）の少なくとも一方が、局所化された弾性パッド又はバネ（２６）を具備していることを特徴とする請求項１〜１０のいずれか一項に記載の底部材。
【発明の詳細な説明】
【０００１】
【発明の属する技術分野】
本発明の主題は、足の全体形状へと湾曲され、又は特定の足の形状に適応するようにした履き物用の底部材である。
【０００２】
【従来の技術】
履き物の底部材の表面に本質的に対応した表面を備え、場合によっては局所化された支持要素及び／又は衝撃吸収要素に取り付けられた履き物用の中底を使用することは、公知のやり方である。このような底部材は、快適な底部材であり、あるいは足の安定性を向上させ又は反復的な衝撃（特にウォーキング又はランニングといったスポーツでの使用）に対して骨構造を保護するための底部材である。
【０００３】
本発明による底部材（履き物用の中底又は外底でもよい）は、より詳しくは、ウォーキング中、ランニング中、又は他のスポーツに参加しているときに、足の横断方向移動を安定化させ、かつ長手方向移動の際に足を支持しかつガイドすることを目的としたものである。
【０００４】
ウォーキング又はスポーツに参加しているときに、足は、かかとの外側から前方へ、側方の弧状部分を経て、親指で尽きる足の前方へと殆ど規則的にその種々の圧点を拡げている。歩行力学における重心の経路は、かかとの外側と第１中足骨空間との間で、後から前へと全体としてＳ字カーブを描いている。
【０００５】
ウォーキングの速度（ランニングの速度と同様に）は、圧縮段階の継続時間にとりわけ依存する。
【０００６】
圧縮時間は、解剖学的構造の負荷吸収能力及びエネルギ回復能力に依存する。このエネルギの回復は、組織の弾性に関連している。とりわけ、大抵の慢性の外傷は、負荷支承段階に含まれる非常に大きな力のためである。さらに、運動エネルギが皮膚の表面に垂直方向力（sheer force）を生ぜしめ、かつ外傷を引き起こす可能性がある。大抵の慢性的な外傷は、着地段階及び衝撃吸収段階には起こらないが、負荷支承段階において足が負荷を吸収しかつ回内により平らになる瞬間に、及び足が組織の弾性と筋肉の収縮によりエネルギを蓄積しなければならないときに起こる。
【０００７】
【発明が解決しようとする課題】
本発明の目的は、足の横断方向移動を安定化させ、かつ足の弾性的保持を増大するように、長手方向移動の際に足をガイドする底部材を提供することである。
【０００８】
【課題を解決するための手段】
このために、前述したタイプの底部分は、かかとが載る領域を取り囲み、かつ少なくとも第１中足骨頭と第５中足骨頭の領域まで底部分の２つの端縁に沿って延在する２つの枝状形態で前方に延在した閉じたループ形態の強化部材を備えている。この強化部材は、底部分の一体部材を形成してもよく、又は底部分の下方に取り付けられかつ固定されてもよい。
【０００９】
かかとを取り囲む強化部材のループ状部材は、地面と接触する際の横断方向移動を安定化させることを意図したものである。特に、この段階中の足の外転又は逆位により、圧縮段階及び推進段階において非接続部（off-line）をシフトさせるステップが展開される。これはエネルギの損失をさらに招き、とりわけ足−膝−背中部における外傷のリスクとなる。強化部材の長手方向枝状部により、足の展開を調整すること、及び足の前方の外転又は逆位を防止すること、さらに、推進を促進する「スプーン」効果を生じさせることが可能とされている。
【００１０】
推進中におけるこの「スプーン」効果を促進するために、底部分の内側に配置された枝状部が、第１中足骨頭を越えて前方に延在している。
【００１１】
本発明の別の特徴点によると、かかとが載る領域の前方に位置する強化部材の中央領域が、その前後に形成された領域と比較して隆起している。
【００１２】
この構造は、前方傾斜移動時にかかとを抑制し、かつアーチに対して衝撃吸収の捕捉部材として作用するとともに、推進段階の間の「スプーン」効果に対する追加のエネルギ回復として作用するステップの段階の間に、バネ効果を提供する。
【００１３】
有利なことに、かかとが載る領域の前方に位置した中央領域において、強化部材は２つの横断方向凹所を有し、その各先端部は底部分の各横断方向端縁から後退している。
【００１４】
これらの凹所のために、足の可撓性領域（すなわち、アーチ）が被覆されない。このことは、可撓性の動的機能を維持し、衝撃吸収しかつステップの展開に対して必要とされるエネルギを蓄積する。
【００１５】
本底部材の他の特徴点によると、底部材の主要部分は、かかとが載る領域及び／又は強化部材の２つの枝状部間に位置する領域において、下方対面くぼみ部に対応する上方対面隆起部を備えている。これは、横断方向及び長手方向への二重凹所である。体重がこれらの２つの隆起領域の一方又は他方に作用した場合に、垂直方向の力が、後方隆起部の場合にはループ状部を圧迫し又は前方隆起部の場合には各長手方向枝状部をともに引張るようになり、よって安定化効果を向上させる。
【００１６】
有利なことに、良好な剛性／応答性比を享受するために、強化部材は、合成材料又はポリマー，ポリカーボネート，ポリカーボラクトール（polycarbolactol），炭素繊維強化樹脂（carbon-fibre-reinforced resin），又はガラス繊維強化樹脂（glass-fibre-reinforced resin）の中から選択された複合材料から成っている。
【００１７】
本発明によると、強化部材が切り抜くことにより得られる単一部材として形成される。
【００１８】
本発明によると、強化部材が、ループを形成するように曲げられた細長単一部材から成り、かつかかとの前方に位置した領域にて交差させた後に、その両端部が長手方向枝状部を形成する。かかとを捕らえる領域の前方で２つの枝状部を交差させることにより、かかとに対して所望の特別の厚みを形成する（この機能については、初めに記載したとおりである）。
【００１９】
さらに、前記交差領域において、２つの枝状部が互いに固定されるか、又は弾性的かつ調整可能に取り付けられる。
【００２０】
本発明によると、強化部材は２つの部材から成り、その一方がかかとを取り囲むループ部と底部材の内側上に位置した枝状部材とを形成し、かつ（底部材の内側上かつ強化部材により形成されたループの前方の領域の第１部材に固定された）前記２つの部材の他方が、底部材の軸線に対して本質的に横断方向に延在し、底部材の外側端縁と交わりかつ第２長手方向枝状部を形成している。
【００２１】
この場合に、有利なことに、強化部材の２つの構成部材が異なる材料から成っている。
【００２２】
前記底部材の外側に沿って延在する長手方向枝状部を構成する第２部材が中足骨終了部（metatarsal break）として知られる軸線（これは、足の前部が曲がる線である。）とともに６０°と９０°の間の角度を形成する傾斜部を有している。前記枝状部の傾斜部の配置により、側方から中央への足の生理学的傾斜が可能とされ、これにより圧点の展開の仕方を早めかつ足の前方を減速させる段階を早めることを可能とし、かつ親指上の圧点に到るように圧点を最適に展開することが可能とされ、これにより起動力が付与される。
【００２３】
１つの可能性によれば、強化部材の枝状部の両端部がブリッジにより接続されている。これにより、体重が一方の枝状部を非常に強力に圧迫している場合には、一方の枝状部から他方の枝状部へとより容易に体重を移動させることが可能である。この再整列効果を達成し又は向上させるために、強化部材の少なくとも一方の枝状部が局所化された弾性パッド又はバネを具備している。
【００２４】
【発明の実施の形態】
各場合において、本発明は、何ら制限しない例示方法で本底部分の複数の実施形態を示す添付の図面を参照して、履き物用中底の場合に従う記載により明瞭に理解されよう。
【００２５】
図１は、足の全体形状に合わせて湾曲され又は足の特定形状に合わせて変形させた履き物用中底２を示している。この中底は、履き物の部材の底部の表面と本質的に対応した表面を有し、場合によっては、（図面に示さなかったが）局所化された支持要素及び／又は衝撃吸収要素を具備した主要部３を備えている。この底部材は、さらに、図１〜図７に示す実施形態において、単一部材として作られ、切断され、かつ形成された強化部材４を備えている。この強化部材は、良好な剛性−応答性比を有する合成材料、又は（例えば、炭素繊維強化樹脂又はガラス繊維強化樹脂といった）複合材料から成っている。前記強化部材４は、かかとが圧迫する領域を取り囲み、かつ少なくとも第１中足骨頭と第５中足骨頭の領域まで底部材の２つの端縁に沿って配置された２つの長手方向枝状部６，７により前方へと延びているループ状部材５を備えている。
【００２６】
図４に示すように、底部材の内側に配置された枝状部７が、第１中足骨頭８を越えて前方に延在している。最初に示したように、所定位置に確実にかかとを保持しかつ性能を向上させるために、かかとが圧迫する領域の前方（すなわち、ループ５の前方）に配置された前記強化部材の中央領域９が、その前後に位置する各領域に対して隆起している。かかとが圧迫する領域の前方に位置した中央領域において、強化部材は、２つの横断方向凹所１０を有しており、その各先端は底部材の各横断方向端縁から後退している。これにより、可撓性の動的機能を妨げないように、足の可撓性領域を被覆しないことが可能とされている。
【００２７】
底部材の主要部３は、かかとが圧迫する領域１２と前記強化部材の枝状部６，７間に位置した領域１３とに、それぞれ下方対面くぼみ部に対応した上方対面隆起部を備えている。歩行中には、図５及び図７に示すように、各領域１２，１３に圧縮が生じ、隆起部を押しつぶし、かつループを閉鎖する、又は各枝状部６，７を互いに引っ張る。その一部を示す図６は、所定位置にかかとを保持する強化部材の中央領域９の隆起部を示している。図４に特に示すように、枝状部６は、長手方向部材を備える一方で、ループの前方かつ底部材の内側に位置する部分と底部材の外側の部分との間に斜線を形成している。この斜線１４は、足の前方の曲げ線１５（すなわち、中足骨終了部）とともに、６０°と９０°の間の角度を形成している。この斜線により、足を生理学的に側方から中央へと傾斜することができ、圧点の展開を容易にしかつガイドする。
【００２８】
図８は第２実施形態を示している。ここで、強化部材はそれ自体の周囲に曲げてループ１６を形成するバンド形態の長手方向部材から成っており、該部材の各自由端部は長手方向枝状部１７，１８を形成している。２つの枝状部が交差する領域１９は、かかとの前方を支持する特別の厚みを形成している。前記部材が曲げられてループを形成した場合に、バンドがかかとを収容する領域において、内側から外側へかつ下方から上方へ傾斜していることに注意されたい。これは、かかとのガイドを促進する。
【００２９】
図９は他の実施形態を示している。ここで、強化部材は２つの部材（すなわち、底部材の内側に位置決めされた長手方向枝状部を形成する部材２３により延在されたループ２２を形成する部材２０）から成っている。前記強化部材は第２の部材２４を備えており、これはループ２２の前方に位置する領域における底部材の内側端縁から第５中足骨の領域における底部材の外側端縁へと延在する斜部材を形成している。部材２４は部材２０に取り付けられており、例えば、部材２０を構成する材料とは異なる材料から成っていてもよく、例えば、前記傾斜軸線について傾斜（tilt）の効果を促進するようにさらなる剛性を有する材料から成っていてもよい。
【００３０】
図１０は、図８における底部材の別の形態である底部材を示す。ここで、同様の部材については、前述した符号と同一の符合を付している。この底部材において、各枝状部１７，１８の各端部は、体重が一方の枝状部上に非常に重くのしかかった場合に、その体重を他方の枝状部に移すことが可能であるブリッジ２５により接続されている。さらに、枝状部１７の下側には、体重を他方の枝状部に再調整する又は移す効果を促進する弾性パッド２６が設けられている。
【００３１】
前記記載から明らかであるように、本発明は、履き物用中底を供給することにより公知技術を大きく向上させている。この中底は、足に対して横断方向安定性を提供し、かつ長手方向移動の際に足をガイドすると同時に、推進力を促進し、衝撃を吸収し、静脈ドレナージ及び足裏をマッサージする効果を可能とし、とりわけ、弾性蓄積の回復の際に足の補助を可能とする。
【００３２】
言うまでもなく、本発明は、例示により上述した本底部材の実施形態に単に制限されるものではない。それどころか、底部材の別の形態全てを包含している。よって、特に、強化部材は、底部材本体とは独立して作り、その後底部材の下方に取り付けるのではなく底部材本体の一体部材を形成するものであり、あるいは強化部材は本発明の範囲から逸脱することなく履き物の部材の主要な底部材に組み込むことも可能である。
【図面の簡単な説明】
【図１】  本底部材の拡大斜視図である。
【図２】  組立位置において、形成された各種部材の斜視図である。
【図３】  図２のＩＩＩ−ＩＩＩ線視長手方向断面図である。
【図４】  下方から見た各種部材の図である。
【図５】  足が地面を圧する際の図３のＶ−Ｖ線視断面図である。
【図６】  足が地面を圧する際の図３のＶＩ−ＶＩ線視断面図である。
【図７】  足が地面を圧する際の図３のＶＩＩ−ＶＩＩ線視断面図である。
【図８】  下方から見た第２の底部材の図である。
【図９】  下方から見た第３の底部材の図である。
【図１０】  下方から見た第４の底部材の図である。
【符号の説明】
３  表面
４，２０  強化部材
５，１６，２２  ループ
６，７，１７，１８，２３，２４  枝状部
９，１９  中央領域
１０  横断方向凹所
１２  かかとが載る領域
１３  ２つの枝状部間に位置する領域
１６  ループ
２０，２４  ２つの部材
２５  ブリッジ
２６  弾性パッド
【図１】
0004237417.tif 000002
【図２】
0004237417.tif 000003
【図３】
0004237417.tif 000004
【図４】
0004237417.tif 000005
【図５】
0004237417.tif 000006
【図６】
0004237417.tif 000007
【図７】
0004237417.tif 000008
【図８】
0004237417.tif 000009
【図９】
0004237417.tif 000010
【図１０】
0004237417.tif 000011